(57)【特許請求の範囲】
【請求項１】
防災受信機から導出された監視回線毎に、回線種別と蓄積動作設定／解除との設定を行うための回線種別設定手段を設け、この回線種別設定手段により、各々の監視回線に対して、回線種別の設定をすれば、それに連携して、当該監視回線に対して蓄積動作を設定あるいは解除させる構成としている自動火災報知システム。
【請求項２】
請求項１において、
上記回線種別設定手段は、蓄積動作を設定する監視回線を感知器回線、蓄積動作を解除する監視回線をスプリンクラ回線とするようにした自動火災報知システム。
【請求項３】
請求項１において、
上記回線種別設定手段は、防災受信機から集合住宅の共用部に導出された監視回線のうち、蓄積動作を設定する監視回線を感知器回線、蓄積動作を解除する監視回線をスプリンクラ回線とするようにした自動火災報知システム。
【請求項４】
請求項３において、
上記回線種別設定手段は、更に、防災受信機から集合住宅の各住戸に導出された監視回線のうち、蓄積動作を設定する監視回線を感知器回線、蓄積動作を解除する監視回線をスプリンクラ回線とするようにした自動火災報知システム。
【請求項５】
請求項１〜請求項４のいずれかにおいて、
上記防災受信機は、操作手段と、各監視回線に対応した回線種別を記憶する記憶手段とを更に備えており、
上記回線種別設定手段は、上記操作手段によって回線種別の設定モードにされた後、監視回線の各々に対して選択された回線種別を、上記記憶手段に記憶することによって構成されている自動火災報知システム。
【請求項６】
請求項１〜請求項４のいずれかにおいて、
上記回線種別設定手段は、各監視回線の回線種別が選択設定できるスイッチ手段で構成されている自動火災報知システム。
【請求項７】
請求項１〜請求項６のいずれかにおいて、
上記防災受信機は、上記監視回線を通じて防災端末機の作動信号を受信したときに、上記回線種別設定手段を基にして判別した監視回線を表示する表示手段を、更に備えている自動火災報知システム。
【請求項８】
請求項１〜請求項７のいずれかにおいて、
上記防災受信機は、上記監視回線を通じて防災端末機の作動信号を受信したときに、上記回線種別設定手段を基にして判別した監視回線を音響出力する音響出力手段を、更に備えている自動火災報知システム。
【発明の詳細な説明】
【０００１】
【発明の属する技術分野】
本発明は、ビルやマンションなどの集合住宅に導入される自動火災報知システムに関する。
【０００２】
【従来の技術】
従来から、自動火災報知システムは、ビルやマンションなどの集合住宅に導入されており、管理人室や防災センタなどに防災受信機を設置し、この防災受信機に、集合住宅内の適所に設置された火災感知器を接続した複数の感知器回線を接続して、システムを構成している。
【０００３】
防災受信機は、感知器回線のいずれかから火災感知器の発報信号（作動信号）を受信すると、火災表示灯を点灯あるいは点滅させるとともに、アラーム音や音声メッセージ等によって火災警報を出力している。
この種の防災受信機は、一般に、火災感知器の誤発報による防災受信機での誤報を防ぐため、蓄積機能を備えており、最初に火災感知器の作動信号を受信した時点では警報出力は行わず、予め設定された蓄積時間の間、継続して作動信号を受信したときになったときに初めて、警報出力するようになっている。
【０００４】
また、防災受信機には、火災の消火のために散水するスプリンクラの作動を検出する、スプリンクラ回線を接続しており、スプリンクラの作動信号を受信すれば、感知器回線の場合と同様に、火災表示灯を点灯あるいは点滅させるとともに、アラーム音や音声メッセージ等によって火災警報を出力している。
【０００５】
【発明が解決しようとする課題】
しかしながら、従来の自動火災報知システムでは、上述したように、防災受信機は、火災感知器の発報時とスプリンクラの作動時では、同じ動作をしており、監視回線である感知器回線とスプリンクラ回線の両者を区別せず、現場において、設置された防災端末機の作動を確認しなければならなかった。
【０００６】
したがって、蓄積機能を設定している場合に、スプリンクラが作動しても、所定の蓄積時間が経過しなければ、火災の発生が確定したとしないため、火災への対処が遅れる場合があった。
また、防災受信機は、蓄積機能の設定と解除をスイッチ操作などでできるようにしているが、この操作は防災受信機に接続しているすべての監視回線に対して有効なものになっており、そのため、蓄積機能を設定していれば、スプリンクラ作動時の迅速な警報出力はできず、一方、蓄積機能を解除すれば、火災感知器の発報時の誤報を有効に防ぐことができなかった。
【０００７】
本発明は、上記事情に鑑みてなされたものであり、監視回線の各々を、感知器回線とスプリンクラ回線に区分して、各監視回線毎に、蓄積動作の設定、解除ができるようにした自動火災報知システムを提供することを目的としている。
【０００８】
【課題を解決するための手段】
上記目的を達成するため、本発明の請求項１に記載の自動火災報知システムでは、防災受信機から導出された監視回線毎に、回線種別と蓄積動作設定／解除との設定を行うための回線種別設定手段を設け、この回線種別設定手段により、各々の監視回線に対して、回線種別の設定をすれば、それに連携して、当該監視回線に対して蓄積動作を設定あるいは解除させる構成としている。
ここに蓄積動作とは、監視回線を通じて、その回線に接続された防災端末機の作動信号を受信しても、予め設定された蓄積時間の間、継続して受信しなければ、その防災端末機が作動したと判断せず、警報出力を行わないようにする機能である。
【０００９】
請求項２では、請求項１において、回線種別設定手段は、蓄積動作を設定する監視回線を感知器回線、蓄積動作を解除する監視回線をスプリンクラ回線とする。すなわち、ここでは、回線種別として、蓄積回線、非蓄積回線の別の他、これらに対応させて、感知器回線、スプリンクラ回線の別が設定できる。感知器回線に接続された火災感知器の発報は、煙草の煙や熱気などによる誤報の場合があるので、防災受信機には蓄積動作を設定する。一方、スプリンクラの作動は、誤って作動したにせよ、すぐに処置を採る必要があるので、蓄積動作を解除しておく。
【００１０】
請求項３では、請求項１において、回線種別設定手段は、防災受信機から集合住宅の共用部に導出された監視回線のうち、蓄積動作を設定する監視回線を感知器回線、蓄積動作を解除する監視回線をスプリンクラ回線とする。
ここでは、廊下、階段、エレベータホールなどの共用部に導出された監視回線について、回線種別を設定する。防災受信機に対し、集合住宅の各住戸において火災を監視する住宅情報盤が、多重伝送線を介して接続されている場合は、各住戸内に導出された監視回線の種別は、住宅情報盤から送出されて来る多重信号によって識別できるので、共用部のみの監視回線を、回線種別の設定対象とする。
【００１１】
請求項４では、請求項３において、回線種別設定手段は、更に、防災受信機から集合住宅の各住戸に導出された監視回線のうち、蓄積動作を設定する監視回線を感知器回線、蓄積動作を解除する監視回線をスプリンクラ回線とする。
ここでは、各住戸に導出された監視回線も、回線種別の設定対象とする。これによって、防災受信機では、監視回線の種別として、その回線が導出されている場所も判別することができる。
【００１２】
請求項５では、請求項１〜請求項４のいずれかにおいて、防災受信機は、操作手段と、各監視回線に対応した回線種別を記憶する記憶手段とを更に備えており、回線種別設定手段は、操作手段によって、回線種別の設定モードにされた後、監視回線の各々に対して選択された回線種別を、記憶手段に記憶することによって構成されている。すなわち、ここでは、回線種別設定手段が、メモリスイッチのような態様で構成される。
【００１３】
請求項６では、請求項１〜請求項４のいずれかにおいて、回線種別設定手段は、各監視回線の回線種別が選択設定できるスイッチ手段で構成されている。このスイッチ手段としては、ディップスイッチが好適に用いられる。
請求項７では、請求項１〜請求項６のいずれかにおいて、防災受信機は、監視回線を通じて防災端末機の作動信号を受信したときに、回線種別設定手段を基にして判別した監視回線を表示する表示手段を、更に備えている。ここに、表示手段は、７セグメント表示器、液晶画面、ＬＥＤランプなどで構成され、判別した監視回線の他、それに対応して予め設定された情報が表示される。
【００１４】
請求項８では、請求項１〜請求項７のいずれかにおいて、防災受信機は、監視回線を通じて防災端末機の作動信号を受信したときに、回線種別設定手段を基にして判別した監視回線を音響出力する音響出力手段を、更に備えている。この音響出力手段からは、判別した監視回線の情報を音声メッセージなどで出力する。
【００１５】
【発明の実施の形態】
以下に、本発明の一実施例について、図面とともに説明する。
図１は、本発明の自動火災報知システムの要部の構成を示したブロック図である。
ビルやマンションなどの集合住宅では、管理人室や防災センタなどに防災受信機１を設置しており、この防災受信機１は、集合住宅内の適所に監視回線を導出して、集合住宅全体の監視を行っている。
【００１６】
ここでは、防災受信機１は、監視回線として、火災感知器Ｓ１，Ｓ２を接続した感知器回線Ｌ１１，Ｌ１２と、スプリンクラＳＰ１，ＳＰ２を接続したスプリンクラ回線Ｌ２１，Ｌ２２とを導出しており、各回線が防災受信機１に対して独立し、ゾロ引き配線とされた、いわゆるＰ型受信機である場合を示している。
防災受信機１は、各々の回線Ｌ１１，Ｌ１２，Ｌ２１，Ｌ２２を通じて、防災端末機である火災感知器Ｓ１，Ｓ２、スプリンクラＳＰ１，ＳＰ２のいずれかの作動信号を受信すれば、表示部１４への表示や、音響出力部１５からの音声によって警報を出力し、管理人などに迅速な対処を求めている。
【００１７】
図において、１０はＣＰＵ等で構成され、防災受信機１の全体を制御する信号処理部、１１は各回線から送出されて来る信号を検出する信号検出部、１２は各監視回線の回線種別を設定する手段である回線種別設定部、１３は各種スイッチやキーなどで構成され、防災受信機１に対する動作指示や各種設定を行うために操作する手段である操作部、１４は７セグメント表示器や液晶画面、ＬＥＤランプなどで構成され、防災受信機１の動作状況などを表示する手段である表示部、１５はスピーカＳＰを備え、音声メッセージやアラーム音などの音響を出力する手段である音響出力部である。
【００１８】
本発明は、回線種別設定部１２によって、防災受信機１から導出された監視回線の各々について、蓄積動作を設定、解除できるようになっており、信号処理部１０は、信号検出部１１が、蓄積動作を設定した監視回線を通じて、その回線に接続された防災端末機からの作動信号を検出したときは、すぐには警報を出力せず、予め設定された蓄積時間（例えば１０秒）の間、継続して作動信号を受信したときになって初めて、その防災端末機が実際の火災などによって作動したと判断して、警報を出力する。ところが一方、蓄積動作を解除した監視回線を通じて、その回線に接続された防災端末機からの作動信号を検出したときは、すぐに警報を出力する。
【００１９】
このようにして、監視回線毎に蓄積動作の設定、解除ができれば、防災受信機１では、各監視回線に接続された防災端末機の特徴や使用目的などに合った監視ができるようになる。
したがって、回線種別設定部１２では、蓄積動作を設定する監視回線を感知器回線Ｌ１１，Ｌ１２、蓄積動作を解除する監視回線Ｌ２１，Ｌ２２をスプリンクラ回線とすればよい。感知器回線Ｌ１１，Ｌ１２に接続された火災感知器Ｓ１，Ｓ２の発報は、煙草の煙や熱気などによる誤報の場合があるので、蓄積動作を設定しておけば、システムの信頼性を保つことができる。一方、スプリンクラＳＰ１，ＳＰ２の作動は、すでに散水が始まっているので、誤って作動したにせよ、すぐに処置を採る必要があり、蓄積動作を解除しておく。
【００２０】
また、回線種別設定部１２において、集合住宅の共用部に導出された監視回線のうち、蓄積動作を設定する監視回線を感知器回線Ｌ１１、蓄積動作を解除する監視回線をスプリンクラ回線Ｌ２１とし、各住戸に導出された監視回線のうち、蓄積動作を設定する監視回線を感知器回線Ｌ１２、蓄積動作を解除する監視回線をスプリンクラ回線Ｌ２２とすれば、防災受信機１では、監視回線の種別として、その回線が導出されている場所も判別することができ、それぞれに応じた警報を出力することができる。
【００２１】
図２には、回線種別設定部１２の設定内容の例を示している。ここでは、監視回線の各々に予め割り当てられた回線番号に対応させて、回線種別を設定登録しており、（ａ）では、感知器回線Ｌ１１，Ｌ１２とスプリンクラ回線Ｌ２１，Ｌ２２とを区別する回線種別の他、蓄積動作の設定あるいは解除が、（ｂ）では、更に、その回線（及び防災受信機）の設置場所が登録されている。ここでは、設置場所を、共用部と住戸といった別ではなく、更に具体的な場所を登録しており、警報出力時に、管理人などが分かりやすく対処しやすいようにしている。
【００２２】
次に、回線種別設定部１２の構成について説明する。
回線種別設定部１２は、記憶手段（メモリ）として構成される。操作部１３の操作によって回線種別の設定モードにされた後、監視回線の各々に対して回線種別が選択されると、この選択された回線種別を回線種別設定部１２に記憶する。図３では、このときの操作手順の例を、表示部１４の７セグメント表示器の表示の変化（遷移）によって説明している。
【００２３】
まず、モードスイッチ１３ａを操作すれば、７セグメント表示器には、入力待状態であることを示す「００００」が表示される（▲１▼）。この状態で、テンキー１３ｂを操作して、回線種別設定部１２に設定登録したい回線番号（ここでは、回線番号「１８」）を入力し（▲２▼）、入力完了キー（不図示）を操作すれば、入力待機状態に戻る（▲３▼）。続いて、回線種別（ここでは、感知器回線「１」）をテンキー１３ｂを操作して入力し（▲４▼）、モードスイッチ１３ａを操作すれば、回線種別の設定モードが解除される（▲５▼）。
【００２４】
なお、ここでの手順は一例を示したに過ぎず、これに限定されることはない。また、表示部１４を液晶画面やＣＲＴなどで構成し、操作部１３をキーボードなどで構成すれば、文字や記号などを入力することにより、回線種別設定部１２に対し設定登録することもできる。
更に、回線種別設定部１２は、各監視回線の回線種別が選択設定できるスイッチ手段で構成することもできる。図４には、このスイッチ手段が、ディップスイッチで構成されている場合を示しており、回線番号の各々について、感知器回線とスプリンクラ回線の別を設定する。なお、ここでは、回線種別に連携して自動的に蓄積動作が設定あるいは解除ができる。
【００２５】
次に、防災受信機１における警報出力について説明する。
防災受信機１は、監視回線を通じて防災端末機の作動信号を受信すると、回線種別設定部１２を基にして判別した監視回線の情報を、表示部１４に表示する。また、判別した監視回線の情報を、音響出力部１５によりスピーカＳＰから出力する。
【００２６】
図５は、表示部１４による表示例を示しており、（ａ）は信号を受信した回線が住戸の監視回線である場合、（ｂ）は共用部の監視回線である場合を、それぞれ示している。ここでは、住戸の表示は住戸番号（図では「１０１」）で、共用部の表示は、識別符号（図では「Ａ−」）を付加した回線番号でされる。また、回線種別がスプリンクラ回線Ｌ２１，Ｌ２２であると判別した場合は、更に、スプリンクラ代表灯１４ａを点灯あるいは点滅させて、感知器回線Ｌ１１，Ｌ１２と区別する。
【００２７】
また、音響出力は、回線種別や回線番号などを判別して、音響出力部１５から、「共用部６０回線のスプリンクラが作動しました」といった音声メッセージによってなされる。
次に、自動火災報知システムの要部の別の構成について、図６とともに説明する。ここでは、防災受信機１は、監視回線として、感知器回線Ｌ１１とスプリンクラ回線Ｌ２１とを共用部に対して導出するとともに、多重伝送線Ｌを導出して、各住戸の住宅情報盤２を接続している。いわゆるＰ型とＲ型を混在させた受信機を用いたシステムである。
【００２８】
各住戸の住宅情報盤２は、火災感知器Ｓ３を接続した感知器回線Ｌ１３や、スプリンクラＳ３を接続したスプリンクラ回線Ｌ２３を導出しており、これらの回線Ｌ１３，Ｌ２３を通じて、作動信号を受ければ、自己のアドレスを付加し、回線種別を設定した作動信号を、多重伝送線Ｌを介して送出する。
防災受信機１の信号処理部１０は、多重伝送部１６により、通常はポーリング動作を制御して、各住宅情報盤２の状態を監視しているが、上記の作動信号を割り込み受信したときには、その信号を解析して、その内容が感知器回線Ｌ１３での作動を示すときは、蓄積動作を行った後に、表示部１４や音響出力部１５によって警報出力を行い、一方、スプリンクラ回線Ｌ２３での作動を示すときは、蓄積動作をせずに警報出力を行う。この場合、回線種別設定部１２には、各住戸の監視回線を設定登録の対象とせず、共用部の監視回線のみを対象として、回線種別を選択し設定登録しておけばよい。
【００２９】
【発明の効果】
以上の説明からも理解できるように、本発明によれば、次のような効果が奏される。すなわち、請求項１に記載の自動火災報知システムによれば、防災受信機から導出された監視回線の各々について、蓄積動作を設定、解除できるので、各回線の特徴や使用目的に合わせるように、誤報防止、迅速な警報出力によるシステムの信頼性の向上が図れる。
【００３０】
請求項２では、蓄積動作を設定する監視回線を感知器回線、蓄積動作を解除する監視回線をスプリンクラ回線とするので、火災感知器の作動時は、誤報を有効に防ぐことができ、一方のスプリンクラの作動時は、すぐに処置を採ることが可能になる。
請求項３では、集合住宅の共用部に導出された監視回線に対してのみ、蓄積動作を設定する監視回線を感知器回線、蓄積動作を解除する監視回線をスプリンクラ回線としているので、防災受信機に、各住戸の住宅情報盤が多重伝送線を介して接続されている場合でも、共用部の監視回線での防災受信機の作動に対し、請求項２の効果と同じ効果をもって対処することが出来る。
【００３１】
請求項４では、集合住宅の各住戸に導出された監視回線についても、蓄積動作を設定する監視回線を感知器回線、蓄積動作を解除する監視回線をスプリンクラ回線とするので、防災受信機では、監視回線の種別として、その回線が導出されている場所も判別することができる。
請求項５では、各監視回線に対する回線種別を、ソフトウェアにより、請求項６では、各回線に対するスイッチにより、容易に登録設定することができるので、特に、施工時などの現場における作業効率が向上する。
【００３２】
請求項７では、監視回線を通じて防災端末機の作動信号を受信したときに、その監視回線を示す表示をし、請求項８では、その監視回線を示す音響出力をするので、現場を確認することなく、防災受信機側において、作動した防災端末機が容易に判断することができる。
【図面の簡単な説明】
【図１】本発明の自動火災報知システムの構成の一例を示すブロック図である。
【図２】回線種別の設定登録状態の例を示す図である。
【図３】回線種別の設定登録手順を説明するための図である。
【図４】回線種別設定手段の一例を示す図である。
【図５】防災受信機の表示部の表示例を示す図である。
【図６】本発明の自動火災報知システムの構成の別の例を示すブロック図である。
【符号の説明】
１・・・防災受信機
１０・・・信号処理部
１２・・・回線種別設定部
１３・・・操作部
１４・・・表示部
１５・・・音響出力部
Ｌ１１・・・感知器回線（共用部）
Ｌ１２，Ｌ１３・・・感知器回線（住戸）
Ｌ２１・・・スプリンクラ回線（共用部）
Ｌ２２，Ｌ２３・・・スプリンクラ回線（住戸）
Ｌ・・・多重伝送線
【図１】
0003587042.tif 000002
【図２】
0003587042.tif 000003
【図３】
0003587042.tif 000004
【図４】
0003587042.tif 000005
【図５】
0003587042.tif 000006
【図６】
0003587042.tif 000007